(57)【要約】【課題】良好な表示品位の指向性表示を実現した表示装置を提供すること。【解決手段】本願の表示装置によれば、縦表示において、視差バリア部には、遮光部がチェック状に配置された市松模様の縦視差バリア８０ｔが形成される。よって、従来の表示装置のように画像が縞状に観察されることはなく、チェック状に画像が観察されることになる。また、カラー画素単位で考えると、従来のストライプ状の視差バリアよりも、水平方向における解像度を向上させることができる。さらに、位相差板を用いないシンプルな構成であるため、位相差板を用いていた従来の表示装置よりも、クロストークの発生を抑制することができる。従って、良好な表示品位の指向性表示を実現した表示装置を提供することができる。【選択図】図４
2010276817.tif 000002
【特許請求の範囲】
【請求項１】
第１方向および該第１方向と交差する第２方向に配列された複数の画素からなる表示領域を有する表示パネルと、
電気光学層を第１電極と第２電極とで挟持して前記表示領域に重ねて配置された視差バリア部と、を備え、
前記第１電極は、前記第１方向において、隣り合う２つの前記画素を跨いで配置された複数のセグメント電極から構成されるとともに、前記複数のセグメント電極は、前記第１方向および前記第２方向において互いに隣り合わない複数の第１セグメント電極と複数の第２セグメント電極とを有し、前記複数の第１セグメント電極および前記複数の第２セグメント電極は、それぞれが電気的に接続されてなり、
前記第２電極は、前記第１方向に伸びる複数本のコモン電極から構成されるとともに、前記複数本のコモン電極は、前記第２方向において、それぞれが隣り合う２つの前記画素を跨いで交互に配置された第１コモン電極と第２コモン電極とからなり、奇数番目に現れる複数の前記第１コモン電極、および偶数番目に現れる複数の前記第２コモン電極は、それぞれが電気的に接続され、
前記第１方向を基準として前記表示パネルの表示を行うときには、前記視差バリア部において、前記第１セグメント電極と前記第２セグメント電極とのうちのいずれか一方と、前記第１コモン電極および前記第２コモン電極とが平面的に重なる部分を透過部とするとともに、いずれか他方と、前記第１コモン電極および前記第２コモン電極とが平面的に重なる部分を遮光部とするように表示駆動され、
前記第２方向を基準として前記表示パネルの表示を行うときには、前記視差バリア部において、前記第１コモン電極と前記第２コモン電極とのうちのいずれか一方と、前記第１セグメント電極および前記第２セグメント電極とが平面的に重なる部分を透過部とするとともに、いずれか他方と、前記第１セグメント電極および前記第２セグメント電極とが平面的に重なる部分を遮光部とするように表示駆動されることを特徴とする電気光学装置。
【請求項２】
第１方向および該第１方向と交差する第２方向に配列された複数の画素からなる表示領域を有する表示パネルと、
電気光学層を第１電極と第２電極とで挟持して前記表示領域に重ねて配置された視差バリア部と、を備え、
前記第１電極は、前記第１方向において、隣り合う２つの前記画素を跨いで配置された複数のセグメント電極から構成されるとともに、前記複数のセグメント電極は、前記第１方向および前記第２方向において互いに隣り合わない複数の第１セグメント電極と複数の第２セグメント電極とを有し、前記複数の第１セグメント電極および前記複数の第２セグメント電極は、それぞれが電気的に接続されてなり、
前記第２電極は、前記第２方向において、隣り合う２つの前記画素を跨いで配置された複数のコモン電極から構成されるとともに、前記複数のコモン電極は、前記第１方向および前記第２方向において互いに隣り合わない複数の第１コモン電極と複数の第２コモン電極とを有し、前記複数の第１コモン電極および前記複数の第２コモン電極は、それぞれが電気的に接続されてなり、
前記第１方向を基準として前記表示パネルの表示を行うときには、前記視差バリア部において、前記第１セグメント電極と前記第２セグメント電極とのうちのいずれか一方と、前記第１コモン電極および前記第２コモン電極とが平面的に重なる部分を透過部とするとともに、いずれか他方と、前記第１コモン電極および前記第２コモン電極とが平面的に重なる部分を遮光部とするように表示駆動され、
前記第２方向を基準として前記表示パネルの表示を行うときには、前記視差バリア部において、前記第１コモン電極と前記第２コモン電極とのうちのいずれか一方と、前記第１セグメント電極および前記第２セグメント電極とが平面的に重なる部分を透過部とするとともに、いずれか他方と、前記第１セグメント電極および前記第２セグメント電極とが平面的に重なる部分を遮光部とするように表示駆動されることを特徴とする電気光学装置。
【請求項３】
前記表示パネルは、液晶パネルであり、
前記視差バリア部は、第１電極が形成された第１基板と、第２電極が形成された第２基板との間に、電気光学層としての液晶を挟持した液晶パネルであり、前記表示パネル側には、入射側偏光板が設けられるとともに、前記入射側偏光板の反対側には、出射側偏光板が設けられてなり、
前記入射側偏光板は、前記表示パネルの出射側偏光板を兼ねていることを特徴とする請求項１または２に記載の電気光学装置。
【請求項４】
前記表示パネルの前記液晶の表示モードは、ノーマリーブラックであることを特徴とする請求項３に記載の電気光学装置。
【請求項５】
前記第１方向において連続する３つの異なる色の前記画素によって１つのカラー画素が形成されてなり、
前記各電極は、前記カラー画素を１つの前記画素として前記配置されていることを特徴とする請求項１〜４のいずれか一項に記載の電気光学装置。
【請求項６】
前記第１方向を基準として表示を行うときには、前記各電極が駆動されて形成された複数の前記透過部および前記遮光部からなる遮光バリアに対応して、前記表示領域における前記複数の画素の各々に、左目画像と右目画像とが市松模様状に表示されることを特徴とする請求項１〜５のいずれか一項に記載の電気光学装置。
【請求項７】
前記第２方向を基準として表示を行うときには、前記各電極が駆動されて形成された複数の前記透過部および前記遮光部からなる遮光バリアに対応して、前記表示領域における前記複数の画素の各々には、左目画像と右目画像とが市松模様状に表示されることを特徴とする請求項２〜６のいずれか一項に記載の電気光学装置。
【請求項８】
前記表示領域における全ての前記画素には、所定の２次元画像を形成するための画像が表示されるとともに、
前記視差バリア部における前記各電極には、全ての前記コモン電極と、全ての前記セグメント電極との間を透過部とするための駆動電圧が印加されることを特徴とする請求項１〜７のいずれか一項に記載の電気光学装置。
【請求項９】
請求項１〜８のいずれか一項に記載の電気光学装置を備えたことを特徴とする電子機器。
【発明の詳細な説明】
【技術分野】
【０００１】
本発明は、電気光学装置、および当該電気光学装置を搭載した電子機器に関する。
【背景技術】
【０００２】
従来、レンチキュラーレンズや、パララックスバリア（以降、「視差バリア」ともいう）を用いることにより、専用の眼鏡を用いることなく、立体画像を表示可能な電気光学装置（表示装置）が知られている。
例えば、特許文献１には、視差バリアとして液晶パネルを用いることが記載されている。詳しくは、液晶パネルに透過部（透明）と遮光部（黒表示）とからなるストライプ状の模様（視差バリア）を表示させることにより、液晶パネルを視差バリアとして機能させていた。
【０００３】
また、この技術を用いて、表示装置の姿勢に応じて縦表示用の視差バリアと横表示用の視差バリアとを切り換えることにより、縦横いずれの表示姿勢においても、立体画像を表示可能とした表示装置も知られていた。
図１７は、当該表示装置の姿勢に応じた視差バリア態様を示す概念図である。従来の表示装置３００は、複数の長方形の画素Ｐを備えた表示パネル７０上に、液晶パネルからなる視差バリア部１８０を重ねた構成となっていた。
視差バリア部１８０は、図１７に示すように、画素Ｐの短辺方向（Ｘ軸方向）を基準とした表示姿勢（縦表示）の場合は、画素Ｐの長辺方向（Ｙ軸方向）に延在する複数の遮光部と透過部とからなるストライプ状の模様を表示させて、縦視差バリア１８０ｔとなる。また、画素Ｐの長辺方向を基準とした表示姿勢（横表示）の場合は、縦表示におけるストライプ状と交差する方向のストライプ状の模様を表示させて、横視差バリア１８０ｙとなる。なお、図１７では、説明の都合上、縦視差バリア１８０ｔ、および横視差バリア１８０ｙを表示パネル７０から離して描いているが、実際は、重ねた状態となっている。
このようにして、縦表示、および横表示のいずれの表示姿勢においても、立体画像を表示可能としていた。
【先行技術文献】
【特許文献】
【０００４】
【特許文献１】特開平７−２６１１１９号公報
【発明の概要】
【発明が解決しようとする課題】
【０００５】
しかしながら、従来の表示装置による立体表示では、縦横表示のいずれの場合においても、遮光部がストライプ状に形成されているため、観察される画像も縞状になってしまうという課題があった。
また、液晶パネルに、視差バリアのパターンに応じて偏光軸方向の異なる位相差板を平面的に貼り合せた複合位相差板を重ね合わせた構成を視差バリア部として用いることも知られていたが、例えば、右目画像に左目画像が混入するクロストークが発生してしまうという課題があった。これは、液晶パネルに加えて位相差板を用いる構成であるため、光軸設計上、程度の差はあれ発生していた。
つまり、従来の表示装置では、指向性表示において良好な表示品位を実現することが困難であるという課題があった。
【課題を解決するための手段】
【０００６】
本発明は、上記課題の少なくとも一部を解決するためになされたものであり、以下の適用例又は形態として実現することが可能である。
【０００７】
（適用例）
第１方向および該第１方向と交差する第２方向に配列された複数の画素からなる表示領域を有する表示パネルと、電気光学層を第１電極と第２電極とで挟持して表示領域に重ねて配置された視差バリア部と、を備え、第１電極は、第１方向において、隣り合う２つの画素を跨いで配置された複数のセグメント電極から構成されるとともに、複数のセグメント電極は、第１方向および第２方向において互いに隣り合わない複数の第１セグメント電極と複数の第２セグメント電極とを有し、複数の第１セグメント電極および複数の第２セグメント電極は、それぞれが電気的に接続されてなり、第２電極は、第１方向に伸びる複数本のコモン電極から構成されるとともに、複数本のコモン電極は、第２方向において、それぞれが隣り合う２つの画素を跨いで交互に配置された第１コモン電極と第２コモン電極とからなり、奇数番目に現れる複数の第１コモン電極、および偶数番目に現れる複数の第２コモン電極は、それぞれが電気的に接続され、第１方向を基準として表示パネルの表示を行うときには、視差バリア部において、第１セグメント電極と第２セグメント電極とのうちのいずれか一方と、第１コモン電極および第２コモン電極とが平面的に重なる部分を透過部とするとともに、いずれか他方と、第１コモン電極および第２コモン電極とが平面的に重なる部分を遮光部とするように表示駆動され、第２方向を基準として表示パネルの表示を行うときには、視差バリア部において、第１コモン電極と第２コモン電極とのうちのいずれか一方と、第１セグメント電極および第２セグメント電極とが平面的に重なる部分を透過部とするとともに、いずれか他方と、第１セグメント電極および第２セグメント電極とが平面的に重なる部分を遮光部とするように表示駆動されることを特徴とする電気光学装置。
【０００８】
この電気光学装置によれば、第１方向を基準とした表示態様を縦表示とした場合、縦表示において、視差バリア部には、遮光部がチェック状に配置された市松模様の遮光バリア（図４の縦視差バリア８０ｔ）が形成されることになる。
よって、従来の表示装置のように、画像が縞状に観察されることはなく、チェック状に画像が観察されることになる。また、カラー画素単位で考えると、従来のストライプ状の視差バリアよりも、水平方向における解像度が向上する。
さらに、位相差板を用いない構成であるため、位相差板を用いていた従来の表示装置よりも、クロストークの発生を抑制することができる。
従って、この電気光学装置によれば、指向性表示において良好な表示品位を実現することができる。
【０００９】
第１方向および該第１方向と交差する第２方向に配列された複数の画素からなる表示領域を有する表示パネルと、電気光学層を第１電極と第２電極とで挟持して表示領域に重ねて配置された視差バリア部と、を備え、第１電極は、第１方向において、隣り合う２つの画素を跨いで配置された複数のセグメント電極から構成されるとともに、複数のセグメント電極は、第１方向および第２方向において互いに隣り合わない複数の第１セグメント電極と複数の第２セグメント電極とを有し、複数の第１セグメント電極および複数の第２セグメント電極は、それぞれが電気的に接続されてなり、第２電極は、第２方向において、隣り合う２つの画素を跨いで配置された複数のコモン電極から構成されるとともに、複数のコモン電極は、第１方向および第２方向において互いに隣り合わない複数の第１コモン電極と複数の第２コモン電極とを有し、複数の第１コモン電極および複数の第２コモン電極は、それぞれが電気的に接続されてなり、第１方向を基準として表示パネルの表示を行うときには、視差バリア部において、第１セグメント電極と第２セグメント電極とのうちのいずれか一方と、第１コモン電極および第２コモン電極とが平面的に重なる部分を透過部とするとともに、いずれか他方と、第１コモン電極および第２コモン電極とが平面的に重なる部分を遮光部とするように表示駆動され、第２方向を基準として表示パネルの表示を行うときには、視差バリア部において、第１コモン電極と第２コモン電極とのうちのいずれか一方と、第１セグメント電極および第２セグメント電極とが平面的に重なる部分を透過部とするとともに、いずれか他方と、第１セグメント電極および第２セグメント電極とが平面的に重なる部分を遮光部とするように表示駆動されることを特徴とする電気光学装置。
【００１０】
また、表示パネルは、液晶パネルであり、視差バリア部は、第１電極が形成された第１基板と、第２電極が形成された第２基板との間に、電気光学層としての液晶を挟持した液晶パネルであり、表示パネル側には、入射側偏光板が設けられるとともに、入射側偏光板の反対側には、出射側偏光板が設けられてなり、入射側偏光板は、表示パネルの出射側偏光板を兼ねていることが好ましい。
また、表示パネルの液晶の表示モードは、ノーマリーブラックであることが好ましい。
また、第１方向において連続する３つの異なる色の画素によって１つのカラー画素が形成されてなり、各電極は、カラー画素を１つの画素として配置されていることが好ましい。
【００１１】
また、第１方向を基準として表示を行うときには、各電極が駆動されて形成された複数の透過部および遮光部からなる遮光バリアに対応して、表示領域における複数の画素の各々に、左目画像と右目画像とが市松模様状に表示されることが好ましい。
また、第２方向を基準として表示を行うときには、各電極が駆動されて形成された複数の透過部および遮光部からなる遮光バリアに対応して、表示領域における複数の画素の各々には、左目画像と右目画像とが市松模様状に表示されることが好ましい。
また、表示領域における全ての画素には、所定の２次元画像を形成するための画像が表示されるとともに、視差バリア部における各電極には、全てのコモン電極と、全てのセグメント電極との間を透過部とするための駆動電圧が印加されることが好ましい。
【００１２】
上記記載の電気光学装置を備えたことを特徴とする電子機器。
【図面の簡単な説明】
【００１３】
【図１】（ａ）、（ｂ）実施形態１に係る表示装置を備えた電子機器の一態様を示す図。
【図２】表示装置の概略構成を示す斜視図。
【図３】表示パネルの画素レイアウトの一部を示す平面図。
【図４】指向性表示における視差バリア態様図。
【図５】縦表示における表示態様図。
【図６】従来の表示態様との比較図。
【図７】横表示における表示態様図。
【図８】表示装置の構成部位を示すブロック図。
【図９】（ａ）セグメント電極の平面配置図、（ｂ）コモン電極の平面配置図。
【図１０】（ａ）縦視差バリアを形成する場合の駆動態様図、（ｂ）横視差バリアを形成する場合の駆動態様図。
【図１１】実施形態２に係る視差バリア態様図。
【図１２】横表示における表示態様図。
【図１３】（ａ）セグメント電極の平面配置図、（ｂ）コモン電極の平面配置図。
【図１４】（ａ）縦視差バリアを形成する場合の駆動態様図、（ｂ）横視差バリアを形成する場合の駆動態様図。
【図１５】電子機器としての携帯電話を示す斜視図。
【図１６】変形例に係る視差バリア態様図。
【図１７】従来の表示装置における視差バリア態様図。
【発明を実施するための形態】
【００１４】
以下、本発明の実施形態について、図面を参照して説明する。なお、以下の各図においては、各層や各部位を図面上で認識可能な程度の大きさとするため、各層や各部位の縮尺を実際とは異ならしめている。
【００１５】
（実施形態１）
「表示装置の概要」
図１（ａ）、（ｂ）は、本実施形態に係る表示装置を備えた電子機器の一態様を示す図である。まず、本発明の実施形態１に係る表示装置１００の概要について、図１を用いて説明する。
【００１６】
図１（ａ）には、本実施形態に係る表示装置１００を搭載した携帯型のＭＭＰ（マルチメディアプレーヤー）５００が示されている。ＭＭＰ５００は、内蔵のハードディスクドライブや、メモリーデバイスなどに記憶されている音楽や、動画、写真などを再生可能に設けられている。
表示装置１００は、複数の操作ボタン７９や、縦長の長方形の表示領域Ｖを有する表示パネル（７０）を備えており、表示領域Ｖには、複数の画素が行列をなしてマトリックス状に配置されている。なお、図１（ａ）では、位置の基準となる基準画素Ｐ11のみ示している。また、表示領域Ｖの短辺の延在方向をＸ軸、長辺の延在方向をＹ軸としている。なお、詳しくは後述するが、基準画素Ｐ11を含む各画素も、略長方形をなしており、その短辺の延在方向がＸ軸、長辺の延在方向がＹ軸となっている。
【００１７】
ここで、図１（ａ）において、基準画素Ｐ11は、図面に向って表示領域Ｖの左上に位置し、基準画素Ｐ11から始まる画素行の延在方向（第１方向）はＸ軸（＋）方向となっている。また、基準画素Ｐ11を起点とした画素列の延在方向（第２方向）はＹ軸（−）方向となっている。
また、表示領域Ｖには、直立した人物の２次元画像ｊが表示されている。画像ｊの人物は、頭部を図面の上方（Ｙ軸（＋）方向）に向けて略正対した状態で表示されている。この画素行の延在方向を基準とした表示姿勢のことを、第１表示姿勢としての縦表示という。
【００１８】
図１（ｂ）は、縦表示となっていた表示領域Ｖを、紙面に向かって右方向に９０°回転させた、換言すれば、時計回りに９０°回転させた表示姿勢を示している。
また、長辺を図面の上方に向けた横長の表示領域Ｖには、直立した人物の２次元画像ｊが頭部を図面の上方に向けて略正対した状態で表示されている。
この画素列の延在方向を基準とした表示姿勢のことを、第２表示姿勢としての横表示という。
図１（ｂ）に示すように、表示領域Ｖを横にした場合であっても、画像ｊは、頭部を上に向けて略正対した状態で表示されている。これが、表示装置１００特徴の一つであり、表示領域Ｖにおける短辺方向、長辺方向のいずれを基準とした表示姿勢においても、画像が正対して表示されるように、表示駆動がなされている。換言すれば、縦表示、横表示のいずれの表示姿勢においても、正対した画像を表示可能となっている。
なお、縦表示と横表示の切り替えは、操作ボタン７９の操作により行うことができる。また、重力方向を検知する姿勢センサーを用いれば、縦横表示の切り替えを検知した重力方向に応じて、自動的に切り替えることも可能である。
【００１９】
また、上記説明においては、説明を簡略化するために２次元画像（２次元表示）を用いて説明したが、表示装置１００によれば、縦表示および横表示のいずれの状態であっても、指向性表示（立体表示）を行うことができる。これも、表示装置１００特徴の一つである。なお、縦横表示における指向性表示の詳細については後述する。
【００２０】
「表示装置の基本構成」
図２は、表示装置の概略構成を示す斜視図である。
ここでは、表示装置１００の基本構成について説明する。
表示装置１００は、バックライト（ＢＬ）６０、表示パネル７０、視差バリア部８０などから構成されている。また、表示装置１００の奥行き方向（厚さ方向）をＺ軸としている。表示装置１００は、ＢＬ６０を最下層（Ｚ軸（＋）側）として、表示パネル７０、視差バリア部８０の順番に積層した構成となっている。なお、図２では、説明を容易にするため各部を離して描いているが、実際は、密着して重ねられている。
【００２１】
ＢＬ６０は、導光板６１、光源６２などから構成された面発光装置である。導光板６１は、透明な板状部材であり、アクリルや、ポリカーボネートなどの透明樹脂、またはガラスなどから構成されている。
光源６２は、例えば、ＬＥＤ（Light Emitting Diode）や冷陰極管などが採用され、図２において導光板６１の一端面に対向して設けられている。なお、当該図面において光源６２は、棒状に描かれているが、複数のＬＥＤを一端面に沿って配置する構成であっても良い。また、光源６２は、導光板６１の一端面に沿って光を出射することができる構成であれば良く、例えば、無機または有機ＥＬ（Electro Luminescence）素子を光源として用いても良い。
ＢＬ６０は、光源６２から入射した略白色光を、導光板６１の中で反射を繰り返しながら、当該導光板の表示パネル７０と向い合う光射出面から出射する。
なお、導光板６１の光射出面側には拡散板を設け、また、底面側には反射板を設けても良い。これにより、より光の利用効率を高めるとともに、より均一な光分布の照明光を出射することができる。
【００２２】
表示パネル７０は、複数の画素からなる表示領域Ｖを備えたアクティブマトリックス型の透過式のカラー液晶パネルである。表示パネル７０は、液晶パネル３、入射側偏光板４、共通偏光板５などから構成されている。なお、透過式に限定するものではなく、透過表示が可能であれば良く、例えば、画素ごとに透過領域と反射領域とを備えた半透過反射型であっても良い。
液晶パネル３は、素子基板２ａと対向基板２ｂとの間に、液晶を挟持（封入）して形成されたＴＮ（Twisted Nematic）方式の液晶パネルである。なお、液晶パネルの種類は、ＴＮ方式に限定するものではなく、ＶＡ（Vertical Alignment）方式、またはＩＰＳ（In Plane Switching）方式、若しくはＦＦＳ（Fringe Field Switching）方式であっても良い。また、素子基板２ａの一辺は、対向基板２ｂから張出して形成されており、当該張出した張出し領域１１には、複数の画素を表示駆動するための駆動用ＩＣ１２が実装されている。
液晶パネル３の表裏面には、吸収型偏光板がそれぞれ配置されている。詳しくは、液晶パネル３の裏面（ＢＬ６０側）には、入射側偏光板４が配置されており、表面（視差バリア部８０側）には、出射側偏光板としての共通偏光板５が配置されている。なお、共通偏光板５は、視差バリア部８０とで共有している。
【００２３】
視差バリア部８０は、共通偏光板５、バリアＬＣＤ７、出射側偏光板８などから構成された可変視差バリアであり、縦表示、および横表示の姿勢に応じて、それぞれ異なる視差バリアを構成する部位である。
バリアＬＣＤ７は、素子基板６ａと対向基板６ｂとの間に、電気光学層としての液晶を挟持（封入）して形成されたＴＮ方式の液晶パネルである。なお、好適例として、液晶モードをノーマリーブラックとしている。
素子基板６ａの内面には、複数のセグメント電極からなる第１電極が形成されている。
対向基板６ｂの内面には、複数のコモン電極からなる第２電極が形成されている。
視差バリア部８０は、このセグメント電極とコモン電極との間に、選択されている表示姿勢、および表示次元（２次元、または３次元表示）に対応した駆動電圧を印加することにより、それぞれの表示姿勢に相応しい視差バリアを形成する。なお、セグメント電極およびコモン電極の詳細については、後述する。
【００２４】
また、素子基板６ａの一辺は、対向基板６ｂから張出して形成されており、当該張出した張出し領域には、セグメント電極およびコモン電極を表示駆動するための駆動信号を供給するフレキシブル基板（図示せず）が接続されている。
また、各偏光板の透過光軸は、Ｘ軸を基準として以下のように設定されている。
入射側偏光板４の透過光軸４ｊは、約４５°に設定されている。共通偏光板５の透過光軸５ｊは、約１３５°に設定されている。出射側偏光板８の透過光軸８ｊは、約４５°に設定されている。
【００２５】
図３は、表示パネルの画素レイアウトの一部を示す平面図である。
図３における画素配置は、表示原理の説明を容易にするために、表示領域Ｖ全体のうち、基準画素Ｐ11の周辺の画素を抜粋したものである。
図３は、図２において、縦表示の表示パネル７０をＺ軸（−）方向から正対して見たときの平面図であり、表示領域Ｖを構成する複数の画素がマトリックス状に配置されている。まず、表示パネル７０の表示領域Ｖにおける画素配置について説明する。
表示領域Ｖを構成する各画素Ｐは図３に向かって縦長の長方形をなし、その幅（短辺）は高さ（長辺）の約１／３に設定されている。ここで、画素行とは短辺方向に配列した画素配列を指し、また、画素列とは長辺方向に配列した画素配列のことを指している。
例えば、表示領域Ｖの最上段には、画素Ｐ11，Ｐ12，Ｐ13，Ｐ14…からなる画素行Ｐ11が延在している。また、画素行Ｐ11の一段下には、画素Ｐ21，Ｐ22，Ｐ23，Ｐ24…からなる画素行Ｐ21が形成されている。同様に、画素行Ｐ21の一段下には、画素行Ｐ31が形成され、その下側にも複数の同様な画素行が形成されている。
また、画素行と交差（略直交）する方向には、例えば、画素Ｐ11，Ｐ21，Ｐ31…からなる画素列Ｐ11が延在している。また、画素列Ｐ11の隣には、画素Ｐ12，Ｐ22，Ｐ32…からなる画素列Ｐ12が形成されている。
また、各画素は、隔壁（ブラックマトリックス）によって、格子状に区画されている。なお、図３においては、白抜きで示されているが、実際は黒色の遮光部材から形成されている。また、図３を含む各図において、画素行の延在方向（Ｘ軸方向）が第１方向に相当し、画素列の延在方向（Ｙ軸方向）が第２方向に相当している。
【００２６】
画素行Ｐ11において、画素Ｐ11は赤色の画素Ｒ、画素Ｐ12は緑色の画素Ｇ、画素Ｐ13は青色の画素Ｂというように、３つの画素ごとにＲＧＢの色画素が繰り返し配置されている。また、他の画素行においても同様である。
また、画素列方向においては、画素Ｐ11から始まる画素列Ｐ11は、全ての画素が赤色の画素Ｒとなる。同様に、画素列Ｐ12は緑色の画素Ｇ、画素列Ｐ13は青色の画素Ｂというように、画素列の色調は、画素行Ｐ11における画素の色調と同一となっている。
ここで、画素行方向に隣り合うＲＧＢ色の３つの画素により略正方形をなした１つのカラー画素が形成される。例えば、画素行Ｐ11においては、まず、画素Ｐ11〜Ｐ13からカラー画素Ｃ11が形成される。同様に、画素Ｐ14〜Ｐ16からカラー画素Ｃ12が形成され、以下同様に、カラー画素Ｃ13〜Ｃ15が形成される。
また、画素行Ｐ21〜Ｐ51においても同様に、カラー画素Ｃ21〜Ｃ25、カラー画素Ｃ31〜Ｃ35、カラー画素Ｃ41〜Ｃ45、カラー画素Ｃ51〜Ｃ55が、それぞれ形成される。
また、カラー表示を行う表示パネル７０の画素単位はカラー画素が基準となるが、本実施形態においては、画素Ｐを「画素」、３つのサブ画素からなる画素Ｃを「カラー画素」と称して説明する。なお、画素のことを「サブ画素」、カラー画素のことを「画素」と言い換えても良い。このような表示領域Ｖの上に、視差バリア部８０が重ねられている。
【００２７】
「指向性表示の表示原理」
図４は、指向性表示における視差バリア態様を示す図である。図５は、縦表示における表示態様を示す図である。図６は、従来の表示態様との比較図である。図７は、横表示における表示態様を示す図である。
続いて、縦表示および横表示それぞれにおける指向性表示の表示態様および原理について説明する。
図４には、表示パネル７０が縦表示の場合における視差バリア部８０の視差バリア態様を示す縦視差バリア８０ｔと、横表示の場合における視差バリア部８０の視差バリア態様を示す横視差バリア８０ｙとが示されている。
なお、説明の都合上、図４に向って、縦視差バリア８０ｔは表示パネル７０の上方に、横視差バリア８０ｙは表示パネル７０の左側に、それぞれ離れた状態で描かれているが、実際は平面的に重なっている。
【００２８】
「縦表示における指向性表示」
まず、縦表示が選択されている場合、視差バリア部８０は、図４に示すような縦視差バリア８０ｔの態様となる。
詳しくは、ハッチングが掛かっている部分は遮光部となり、白抜きの部分は表示パネルを透過した光を透過する透過部となる。例えば、画素行Ｐ11と重なるバリア行では、遮光部と透過部とがＸ軸方向に交互に形成されている。
また、画素行Ｐ21と重なるバリア行でも、透過部と遮光部とがＸ軸方向に交互に形成されている。ここで、当該バリア行の遮光部および透過部は、上段のバリア行の遮光部および透過部から、約１画素分Ｘ軸方向にシフトした配置となっている。
また、図示していないが、画素行Ｐ31と重なるバリア行でも、遮光部と透過部とがＸ軸方向に交互に形成され、かつ、画素列方向で、画素行Ｐ21のバリア行から約１画素分Ｘ軸方向にシフトした配置となっている。
つまり、縦表示における縦視差バリア８０ｔは、遮光部（透過部）がチェック状の市松模様となるような態様となる。
【００２９】
図５の上段には、図１（ａ）において、縦表示における表示装置１００をＹ軸（＋）方向から観察したときの表示装置１００の断面、および観察者の視点が示されている。
ここで、表示パネル７０には、各画素行において、左目用の画像データ「左」と、右目用の画像データ「右」とがＸ軸方向に交互に供給されている。また、左右の画像データは、図４で説明したバリア行と同様に、Ｙ軸方向において１画素分ずつＸ軸方向にシフトした配置となっている。このような左右の画像が合成された画像データは、縦表示が選択されると、後述の画像信号処理部などで生成されて、表示パネル７０に供給される。
そして、このように左右の画像データが表示されている表示パネル７０を、図４で説明した縦視差バリア８０ｔを介して観察すると、左目Ｌｖには、実線で示すように、左画素を透過し、画像データ「左」の階調に応じた明るさとなった表示光が、縦視差バリア８０ｔの透過部を介して観察される。換言すれば、右画素を透過し、画像データ「右」の階調に応じた明るさとなった表示光は、破線で示すように、縦視差バリア８０ｔの遮光部によって遮断されるため、左目Ｌｖには入射しない。
また、右目Ｒｖには、実線で示すように、右画素を透過し、画像データ「右」の階調に応じた明るさとなった表示光が、縦視差バリア８０ｔの透過部を介して観察される。換言すれば、左画素を透過し、画像データ「左」の階調に応じた明るさとなった表示光は、破線で示すように、縦視差バリア８０ｔの遮光部によって遮断されるため、右目Ｒｖには入射しない。
つまり、左目Ｌｖには左画素を透過した画像データ「左」によって表される左画像の表示光が入射し、右目Ｒｖには右画素を透過した画像データ「右」によって表される右画像の表示光が入射することになり、縦表示において指向性表示が実現される。
【００３０】
図５の下段左側には、左目Ｌｖにて視認される左画像の表示態様が示されている。具体的には、画素行Ｐ11では、Ｐ12,Ｐ14,Ｐ16,Ｐ18…というように偶数画素が観察されている。また、画素行Ｐ21では、Ｐ21,Ｐ23,Ｐ25,Ｐ27…というように奇数画素が観察されている。以下、図示は省略しているが、画素行ごとに偶数画素と奇数画素とが交互に入れ替って観察される。
つまり、左目Ｌｖには、市松模様をなした左画像が観察されることになる。
図５の下段右側には、右目Ｒｖにて視認される表示態様が示されている。具体的には、画素行Ｐ11では、Ｐ11,Ｐ13,Ｐ15,Ｐ17…というように奇数画素が観察されている。また、画素行Ｐ21では、Ｐ22,Ｐ24,Ｐ26,Ｐ28…というように偶数画素が観察されている。以下、図示は省略しているが、画素行ごとに奇数画素と偶数画素とが交互に入れ替って観察される。
つまり、右目Ｒｖには、市松模様をなした右画像が観察されることになる。
【００３１】
ここで、「右」画像における１つのカラー画素は、画素行Ｐ11のＲ色のＰ11、およびＢ色のＰ13と、画素行Ｐ21のＧ色のＰ22とによる画素行を跨いだ三角形のカラー画素となる。また、同様に、画素行Ｐ11と画素行Ｐ21とを跨いで、ＲＧＢ色のＰ24,Ｐ15,Ｐ26による三角形のカラー画素が形成される。以下、他の画素行においても同様に２つの画素行を跨いで三角形のカラー画素が形成される。
このように、縦表示の「右」画像においては、２つの画素行を跨ぐものの、Ｘ軸方向に隣り合う３つの画素からカラー画素が形成されることになる。
また、「左」画像についても同様に、２つの画素行を跨いで三角形のカラー画素が形成される。詳しくは、画素行Ｐ11と画素行Ｐ21とを跨いで、画素Ｐ21,Ｐ12,Ｐ23や、Ｐ14,Ｐ25,Ｐ16などの三角形のカラー画素が形成される。
つまり、縦表示の「左」画像、および「右」画像のそれぞれにおいて、２つの画素行を跨いで、Ｘ軸方向に隣り合う３つの画素からカラー画素が形成される。
【００３２】
図６は、従来の表示装置の縦表示における表示態様を示す図であり、図５の下段右側の右画像との比較図である。ここでは、本実施形態における縦表示と、従来の表示装置の縦表示との違いについて、図６を用いて詳しく説明する。
前述したように、図１７の従来の表示装置３００では、ストライプ状の縦視差バリア１８０ｔを用いて縦表示を行っていたため、観察される右画像も、画素列Ｐ11,Ｐ13,Ｐ15,Ｐ17…というように縞状になっていた。これに対して、本実施形態における縦表示では、図５の下段に示す通り、右画像は市松模様をなしたチェック状に観察されることになる。なお、左画像についても同様である。
また、従来の縦表示におけるカラー画素の解像度について考えると、図６におけるＲＧＢの３つの画素からなる１つのカラー画素（基準カラー画素）は、画素Ｐ11，Ｐ13，Ｐ15から構成されている。また、当該カラー画素と水平方向（Ｘ軸方向）において隣り合うカラー画素は、画素Ｐ17，Ｐ19，Ｐ21から構成されるカラー画素となる。また、基準カラー画素と垂直方向（Ｙ軸方向）において隣り合うカラー画素は、下段の画素行の画素Ｐ21，Ｐ23，Ｐ25となる。
つまり、解像度について考えてみると、Ｙ軸方向のカラー画素は、画素行ごとに連続しているが、Ｘ軸方向のカラー画素は、間延びしていることが解る。換言すれば、従来の表示装置による視差表示では、垂直方向に比べて、水平方向の解像度が劣化してしまうという課題もあった。
【００３３】
詳しくは、隣り合うカラー画素における赤色の画素間の距離で検証すると、Ｙ軸方向では画素Ｐ11の直下に画素Ｐ21があるのに対して、Ｘ軸方向では、画素Ｐ11と次の赤色画素Ｐ17との間に５画素分の間隔が開いていた。
これに対して、図５の本実施形態における縦表示によれば、２つの画素行を跨ぐものの画素Ｐ11の次に現れる赤色画素はＰ24となり、当該画素間の間隔は、水平方向に２画素分であり、水平方向の解像度が大幅に改善されていることが解る。
他方、垂直方向の解像度は、画素Ｐ11の次に現れる赤色画素はＰ31となり、垂直方向に１画素分（１画素行分）の間隔が開くことになるが、水平方向に隣接するカラー画素の赤色画素Ｐ24が画素Ｐ11の直下の画素行に現れるため、解像度の劣化は僅かである。
【００３４】
「横表示における指向性表示」
図４に戻る。
次に、横表示が選択されている場合、視差バリア部８０は、図４に示すような横視差バリア８０ｙの態様となる。
例えば、画素行Ｐ11に一部分が重なる遮光部は、棒状をなして画素行に沿ってＸ軸方向に延在している。また、当該遮光部のＹ軸（−）方向には、棒状をなした透過部と、棒状の遮光部とが交互に配置されている。
つまり、横表示における横視差バリア８０ｙは、遮光部（透過部）が画素列の延在方向（Ｙ軸方向）にストライプ状に形成された態様となっている。
【００３５】
図７の上段には、図１（ｂ）において、横表示における表示装置１００をＺ軸（−）方向から観察したときの表示装置１００の断面、および観察者の視点が示されている。
ここで、表示パネル７０には、左目用の画像データ「左」と、右目用の画像データ「右」とがＹ軸方向に画素列単位で交互に供給されている。なお、このような左右の画像が合成された画像データは、横表示が選択されると、後述の画像信号処理部などで生成されて、表示パネル７０に供給される。
そして、このように左右の画像データが表示されている表示パネル７０を、図４で説明した横視差バリア８０ｙを介して観察すると、左目Ｌｖには、実線で示すように、左画素を透過し、画像データ「左」の階調に応じた明るさとなった表示光が、横視差バリア８０ｙの透過部を介して観察される。換言すれば、右画素を透過し、画像データ「右」の階調に応じた明るさとなった表示光は、破線で示すように、横視差バリア８０ｙの遮光部によって遮断されるため、左目Ｌｖには入射しない。また、右目Ｒｖには、実線で示すように、右画素を透過し、画像データ「右」の階調に応じた明るさとなった表示光が、横視差バリア８０ｙの透過部を介して観察される。換言すれば、左画素を透過し、画像データ「左」の階調に応じた明るさとなった表示光は、破線で示すように、横視差バリア８０ｙの遮光部によって遮断されるため、右目Ｒｖには入射しない。
つまり、左目Ｌｖには左画素を透過した画像データ「左」によって表される左画像の表示光が入射し、右目Ｒｖには右画素を透過した画像データ「右」によって表される右画像の表示光が入射することになり、横表示において指向性表示が実現される。
【００３６】
図７の下段左側には、左目Ｌｖにて視認される表示態様が示されている。具体的には、画素行Ｐ21,Ｐ41…というように偶数番目の画素行が観察される。
つまり、左目Ｌｖには、ストライプ状の左画像が観察されることになる。
図７の下段右側には、右目Ｒｖにて視認される表示態様が示されている。具体的には、画素行Ｐ11,Ｐ31…というように奇数番目の画素行が観察される。
つまり、右目Ｌｖには、ストライプ状の右画像が観察されることになる。
ここで、「右」画像における１つのカラー画素は、図３で説明したカラー画素と同じである。詳しくは、画素行Ｐ11においては、画素Ｐ11〜Ｐ13からなるカラー画素Ｃ11、画素Ｐ14〜Ｐ16からなるカラー画素Ｃ12、以下同様に、カラー画素Ｃ13〜Ｃ15が形成される。また、他の奇数番目の画素行においても同様である。
また、「左」画像についても同様に、図３のカラー画素と同様であり、画素行において連続する３つの画素ごとに１つのカラー画素が形成される。
【００３７】
「縦表示および横表示における２Ｄ画像表示」
図４に戻る。
ここまで、縦表示および横表示それぞれにおける指向性表示の原理について説明したが、表示装置１００では、各表示態様において、それぞれ２次元画像（２Ｄ）表示を行うことができる。
詳しくは、２Ｄ表示を行う場合、視差バリア部８０は、縦表示および横表示それぞれにおいて、表示パネル７０から出射する表示光を遮光することなく出射する。つまり、遮光部（バリア）を形成しないように視差バリア部８０を制御することにより、表示パネル７０の画像を略そのまま観察することができる。なお、このような視差バリア部８０の機能については、後述する。
【００３８】
図８は、表示装置の構成部位を示すブロック図である。
表示装置１００は、前述したＢＬ６０、表示パネル７０、視差バリア部８０に加えて、これらの部位を制御するためのＢＬ駆動部６３、画像信号処理部７１、制御部７３、バリアＬＣＤ駆動部８１などを備えている。
これらの制御部位は、表示パネル７０の張出し領域１１（図２）の駆動用ＩＣ１２などに内蔵されるか、または、張出し領域１１に接続されるフレキシブル基板などに実装されている。また、視差バリア部８０の張出し領域においても同様である。
ＢＬ駆動部６３は、ＢＬ６０の光源６２（図２）の点灯および消灯を制御する駆動回路であり、制御部７３からの制御信号に従って当該制御を行う。
【００３９】
画像信号処理部７１は、画像プロセッサーであり、外部の画像信号供給装置９９から入力された画像データを液晶パネル３にて表示するのに適切な画像信号に変換する。画像信号処理部７１には、ＡＤコンバーター（図示せず）が内蔵されており、アナログＲＧＢ信号などのアナログ画像信号が入力された場合には、デジタル画像信号に変換する。
また、画像信号処理部７１には、フレームメモリー７２が附属している。フレームメモリー７２のデータ容量は、少なくとも左画像データ、および右画像データを格納可能な容量があることが好ましい。また、合成された視差画像データも格納できる容量があればより好ましい。
また、画像信号処理部７１は、制御部７３からの制御信号に従い、フレームメモリー７２を活用して、縦表示および横表示に対応した２Ｄ画像データ、立体画像データを含む視差画像データを生成する。また、データの補完、または間引き、切り出しなどを含むスケーリング処理を司り、液晶パネル３の解像度に合わせた画像データを出力する。
【００４０】
制御部７３は、ＣＰＵ（Central Processing Unit）であり、各部の動作を制御する。また、制御部７３には、記憶部７５と、操作部７６とが附属している。
記憶部７５は、例えば、フラッシュメモリーなどの不揮発性のメモリーにより構成されている。記憶部７５には、液晶パネル３に供給する画像信号の縦横変換や、視差画像データの生成を行うための順序と内容を規定したプログラムを含み、表示装置１００の動作を制御するための様々なプログラムおよび付随するデータが記憶されている。
当該プログラムには、バリアＬＣＤ７の制御プログラムも含まれており、縦表示の場合には視差バリア部８０を図４の縦視差バリア８０ｔとするための、また、横表示の場合には視差バリア部８０を図４の横視差バリア８０ｙとするための制御信号を、バリアＬＣＤ駆動部８１に送信する。
操作部７６は、複数の操作ボタン（図示せず）を含んで構成されており、当該操作ボタンの操作により、縦表示／横表示、または２Ｄ画像表示／視差画像データを切換え可能に設けられている。
バリアＬＣＤ駆動部８１は、バリアＬＣＤ７の駆動回路であり、制御部７３からの制御信号に従って、バリアＬＣＤ７を駆動する。
【００４１】
「バリアＬＣＤの電極態様」
図９（ａ）は、セグメント電極の平面配置図であり、（ｂ）は、コモン電極の平面配置図である。
ここでは、図４の縦視差バリア８０ｔ、および横視差バリア８０ｙを実現するためのバリアＬＣＤ７におけるセグメント電極とコモン電極の平面レイアウトについて説明する。
【００４２】
図９（ａ）では、第１電極としてのセグメント電極Ｓを実線で示し、画素Ｐを点線で示している。セグメント電極Ｓは、バリアＬＣＤ７の素子基板６ａの内面（液晶側）に形成された透明電極である。透明電極としては、ＩＴＯ（Indium Tin Oxide）膜や、ＺｎＯ（酸化亜鉛）膜を用いることができる。
セグメント電極Ｓは、第１セグメント電極としてのセグメント電極Ｓ１と、第２セグメント電極としてのセグメント電極Ｓ２とから構成されており、画素行の延在方向において、画素行ごとに、隣り合う２つの画素Ｐを跨いで配置されている。
例えば、画素行Ｐ11と重なる領域においては、画素Ｐ11と画素Ｐ12とを跨いで、当該画素と略同じ縦長の長方形をなしたセグメント電極Ｓ２が配置されている。また、当該セグメント電極Ｓ２の隣（Ｘ軸（＋）側）には、画素Ｐ12と画素Ｐ13とを跨いで、同様な縦長の長方形のセグメント電極Ｓ１が配置されている。以降、画素行Ｐ11の延在方向（Ｘ軸（＋）方向）に向かって、セグメント電極Ｓ２とセグメント電極Ｓ１とが交互に配置されている。
【００４３】
また、画素行Ｐ21と重なる領域においては、画素Ｐ21と画素Ｐ22とを跨いで、当該画素と略同じ縦長の長方形をなしたセグメント電極Ｓ１が配置されている。また、当該セグメント電極Ｓ１の隣（Ｘ軸（＋）側）には、画素Ｐ22と画素Ｐ23とを跨いで、同様な縦長の長方形のセグメント電極Ｓ２が配置されている。以降、画素行Ｐ21の延在方向（Ｘ軸（＋）方向）に向かって、セグメント電極Ｓ１とセグメント電極Ｓ２とが交互に配置されている。
また、画素列の延在方向（Ｙ軸（−）方向）においても、セグメント電極Ｓ１とセグメント電極Ｓ２とは交互に配置されている。
つまり、セグメント電極Ｓ１とセグメント電極Ｓ２とは、いずれか一方を白とし他方を黒としたときに、白および黒のセグメント電極による平面的な配置態様が市松模様（チェック模様）となるように配置されている。換言すれば、複数のセグメント電極Ｓは、Ｘ軸方向（第１方向）およびＹ軸方向（第２方向）において互いに隣り合わない複数のセグメント電極Ｓ１と、複数のセグメント電極Ｓ２とを有している。
【００４４】
また、複数のセグメント電極Ｓ１は、電気的に１つの電極として接続されている。換言すれば、全てのセグメント電極Ｓ１は、電気的に１つの信号線により、同じ駆動電圧で駆動される。同様に、複数のセグメント電極Ｓ２は、電気的に１つの電極として接続されている。換言すれば、全てのセグメント電極Ｓ２は、電気的に１つの信号線により、同じ駆動電圧で駆動される。
また、このような、セグメント電極Ｓ１、およびセグメント電極Ｓ２は、例えば、フォトリソグラフィ技術を用いてエッチングによりパターニングして形成される。また、各電極間のギャップ（間隙）は、２〜１０μｍの範囲内に設定されている。本実施形態では、好適例として、約５μｍに設定している。
【００４５】
図９（ｂ）では、第２電極としてのコモン電極Ｃを実線で示し、画素Ｐを点線で示している。コモン電極Ｃは、バリアＬＣＤ７の対向基板６ｂの内面（液晶側）に形成された透明電極であり、液晶を挟んで、セグメント電極Ｓと向い合って配置されている。なお、透明電極の材質は、セグメント電極Ｓと同様である。
コモン電極Ｃは、第１コモン電極としての複数本のコモン電極Ｃ１と、第２コモン電極としての複数本のコモン電極Ｃ２とから構成されており、画素列の延在方向において、それぞれが隣り合う２つの画素行間を跨いで配置されている。
例えば、画素列の延在方向（Ｙ軸（−）方向）において隣り合う２つの画素行Ｐ11と画素行Ｐ21とを跨いで、Ｘ軸方向に帯状のコモン電極Ｃ２が延在している。また、当該コモン電極Ｃ２の隣（Ｙ軸（−）側）には、画素行Ｐ21と画素行Ｐ31とを跨いで、帯状のコモン電極Ｃ１がＸ軸方向に延在している。また、コモン電極Ｃ１、およびコモン電極Ｃ２の幅は、画素Ｐの高さ（長辺長さ）と略同じに設定されている。
以降、画素列の延在方向（Ｙ軸（−）方向）に向かって、コモン電極Ｃ２とコモン電極Ｃ１とが交互に配置されている。
つまり、コモン電極Ｃ１とコモン電極Ｃ２とは、画素列の延在方向において、ストライプ状（交互）に配置されている。
【００４６】
また、奇数番目に現れる複数本のコモン電極Ｃ１は、電気的に１つの電極として構成されている。換言すれば、複数本のコモン電極Ｃ１は、電気的に１つの信号線により同じ駆動電圧で駆動される。同様に、偶数番目に現れる複数本のコモン電極Ｃ２は、電気的に１つの電極として構成されている。換言すれば、全てのコモン電極Ｃ２は、電気的に１つの信号線により同じ駆動電圧で駆動される。
また、コモン電極Ｃの形成方法や、電極間のギャップなどは、セグメント電極Ｓでの説明と同様である。
なお、素子基板６ａにセグメント電極Ｓが形成され、対向基板６ｂにコモン電極Ｃが形成される構成に限定するものではなく、素子基板６ａにコモン電極Ｃを形成し、対向基板６ｂにセグメント電極Ｓを形成する構成であっても良い。この構成であっても、同様に縦視差バリアおよび横視差バリアを形成することができる。
【００４７】
「縦横視差バリアの形成方法」
図１０（ａ）は、縦視差バリアを形成する場合の駆動態様図であり、（ｂ）は、横視差バリアを形成する場合の駆動態様図である。
バリアＬＣＤ７により縦視差バリア８０ｔ（図４）を形成する場合には、セグメント電極Ｓ２と、コモン電極Ｃ１およびコモン電極Ｃ２との間を透過部とするための駆動電圧（オン電圧）を各電極に印加する。換言すれば、セグメント電極Ｓ２と、コモン電極Ｃ１およびコモン電極Ｃ２とが重なる部分をオンする。
そして、セグメント電極Ｓ１と、コモン電極Ｃ１およびコモン電極Ｃ２との間を遮光部とするための駆動電圧を各電極に印加するか、または、セグメント電極Ｓ１をオフとする。
【００４８】
前述したように、バリアＬＣＤ７（図２）は、ノーマリーブラックモードのＴＮ方式の液晶パネルであり、セグメント電極Ｓとコモン電極Ｃとの間に電位差がない状態では、共通偏光板５から入射してくる約１３５°の表示光をそのままの偏光軸で出射するため、当該表示光は、出射側偏光板８に吸収されて黒表示の遮光部を形成することになる。換言すれば、セグメント電極Ｓとコモン電極Ｃとに同電位の駆動電圧を供給するか、または、オフとすることにより遮光部を形成することができる。なお、オフとは、電極に駆動電圧が印加されていないハイインピーダンス（フローティング）状態となっていることをいう。
他方、セグメント電極Ｓとコモン電極Ｃとの間に、オン電圧が印加されている場合、バリアＬＣＤ７は、共通偏光板５から入射してくる約１３５°の表示光の偏光軸を約９０°変化させて約４５°の偏光軸の表示光として出射するため、当該表示光は、出射側偏光板８を透過して外部に出射される。つまり、透過部が形成されて、透過部を介して表示がなされる。なお、オンとは、セグメント電極Ｓとコモン電極Ｃとの間を透過部とするための駆動電圧（オン電圧）が各電極に印加されている状態のことをいう。
【００４９】
このような駆動電圧は、バリアＬＣＤ駆動部８１（図８）から選択されている表示モードに応じてバリアＬＣＤ７供給される。詳しくは、縦表示、または横表示における視差画像表示モードが選択されると、記憶部７５（図８）のバリアＬＣＤ７の制御プログラムが実行されて、縦視差バリア８０ｔ、または横視差バリア８０ｙを形成するための制御信号がバリアＬＣＤ駆動部８１に供給され、バリアＬＣＤ駆動部８１は、当該制御信号に従ってバリアＬＣＤ７を表示駆動する。
図１０（ａ）では、好適例として、セグメント電極Ｓ２と、コモン電極Ｃ１およびコモン電極Ｃ２との間をオンとし、セグメント電極Ｓ１をオフとすることによって縦視差バリア８０ｔを形成している。
なお、形成された遮光部には、コモン電極Ｃ１，Ｃ２間のギャップ部分が含まれているが、バリアＬＣＤ７はノーマリーブラックモードであるため、当該ギャップ部分も黒表示となり、光漏れのない初期の遮光部が形成される。
【００５０】
バリアＬＣＤ７により横視差バリア８０ｙ（図４）を形成する場合には、コモン電極Ｃ１と、セグメント電極Ｓ１およびセグメント電極Ｓ２との間を透過部とするための駆動電圧（オン電圧）を各電極に印加する。換言すれば、コモン電極Ｃ１と、セグメント電極Ｓ１およびセグメント電極Ｓ２とが重なる部分をオンする。
そして、コモン電極Ｃ２と、セグメント電極Ｓ１およびセグメント電極Ｓ２との間を遮光部とするための駆動電圧を各電極に印加するか、または、コモン電極Ｃ２をオフとする。図１０（ｂ）では、好適例として、コモン電極Ｃ１と、セグメント電極Ｓ１およびセグメント電極Ｓ２との間をオンとし、コモン電極Ｃ２をオフとすることによって横視差バリア８０ｙを形成している。
なお、形成された遮光部には、セグメント電極Ｓ１，Ｓ２間のギャップ部分が含まれているが、バリアＬＣＤ７はノーマリーブラックモードであるため、当該ギャップ部分も黒表示となり、光漏れのない初期の遮光部が形成される。
【００５１】
なお、図１０（ａ）の事例では、セグメント電極Ｓ２をオンとし、セグメント電極Ｓ１をオフとして縦視差バリア８０ｔを形成していたが、これに限定するものではない。セグメント電極Ｓ１をオンとし、セグメント電極Ｓ２をオフとして縦視差バリアを形成することであっても良い。この場合、右目Ｒｖには図５の下段左側の表示パターンが観察されることになるため、当該パターンで露出する（白抜き）画素に画像データ「右」が供給されるように駆動する。同様に、左目Ｌｖには図５の下段右側の表示パターンが観察されることになるため、当該パターンで露出する（白抜き）画素に画像データ「左」が供給されるように駆動する。換言すれば、画像データ「左」「右」の供給パターンを入れ替えて表示駆動する。
つまり、縦表示における立体表示を行うときには、セグメント電極Ｓ１とセグメント電極Ｓ２とのうちのいずれか一方と、コモン電極Ｃ１およびコモン電極Ｃ２との間を透過部とするとともに、いずれか他方と、コモン電極Ｃ１およびコモン電極Ｃ２との間を遮光部とするように表示駆動すれば良い。
【００５２】
また、図１０（ｂ）の事例では、コモン電極Ｃ１をオンとし、コモン電極Ｃ２をオフとすることによって横視差バリア８０ｙ形成していたが、これに限定するものではない。コモン電極Ｃ２をオンとし、コモン電極Ｃ１をオフとすることによって横視差バリアを形成することであっても良い。この場合、右目Ｒｖには図７の下段左側の表示パターンが観察されることになるため、当該パターンで露出する（白抜き）画素に画像データ「右」が供給されるように駆動する。同様に、左目Ｌｖには図７の下段右側の表示パターンが観察されることになるため、当該パターンで露出する（白抜き）画素に画像データ「左」が供給されるように駆動する。
つまり、横表示における立体表示を行うときには、コモン電極Ｃ１とコモン電極Ｃ２とのうちのいずれか一方と、セグメント電極Ｓ１およびセグメント電極Ｓ２との間を透過部とするとともに、いずれか他方と、セグメント電極Ｓ１およびセグメント電極Ｓ２との間を遮光部とするように表示駆動すれば良い。
【００５３】
上述した通り、本実施形態に係る表示装置１００によれば、以下の効果を得ることができる。
表示装置１００によれば、縦表示において、視差バリア部８０には、遮光部がチェック状に配置された市松模様の遮光バリア（図４の縦視差バリア８０ｔ）が形成される。
よって、従来の表示装置のように、画像が縞状に観察されることはなく、チェック状に画像が観察されることになる。また、図５および図６を用いて説明したように、カラー画素単位で考えると、従来のストライプ状の視差バリアよりも、水平方向における解像度を向上させることができる。
さらに、位相差板を用いないシンプルな構成であるため、位相差板を用いていた従来の表示装置よりも、クロストークの発生を抑制することができる。
従って、表示装置１００によれば、指向性表示において良好な表示品位を実現することができる。
【００５４】
また、表示パネル７０と視差バリア部８０とで共通偏光板５を共用している。詳しくは、共通偏光板５を液晶パネル３の出射側偏光板として用いるとともに、バリアＬＣＤ７の入射側偏光板としても用いている。
よって、表示装置１００の構成をシンプルにできるとともに、表示装置１００を薄く構成することができる。また、部品点数が減るため、コストダウンすることができる。
【００５５】
また、縦、または横視差バリアを構成する遮光部には、コモン電極Ｃ１，Ｃ２間のギャップ部分、またはセグメント電極Ｓ１，Ｓ２間のギャップ部分が含まれているが、バリアＬＣＤ７はノーマリーブラックモードであるため、当該ギャップ部分も黒表示となり、光漏れのない初期の遮光部が形成される。
よって、クロストークの発生を抑制することができる。
従って、表示装置１００によれば、縦横いずれの表示姿勢においても、良好な表示品位の指向性表示を行うことができる。
【００５６】
（実施形態２）
図１１は、実施形態２に係る視差バリア態様を示す図であり、図４に対応している。図１２は、横表示における表示態様を示す図であり、図７に対応している。
以下、本発明の実施形態２に係る視差バリア態様について、図１１および図１２を用いて説明する。
本実施形態における視差バリア態様は、横視差バリアの態様（パターン）のみが実施形態１の視差バリア態様と異なる。詳しくは、コモン電極の配置パターンが実施形態１と異なる。それ以外は、実施形態１での説明と同様である。
ここでは、実施形態１における説明と重複する部分は省略し、横視差バリアを中心に説明する。また、同一の構成部位については同一の番号を附して説明する。
【００５７】
「横視差バリアの概要」
図１１には、表示パネル７０が縦表示の場合における縦視差バリア８０ｔと、横表示の場合における横視差バリア８２ｙとが示されている。
ここで、縦視差バリア８０ｔは、図４で説明した縦視差バリア８０ｔと同一である。
横視差バリア８２ｙは、遮光部（透過部）がチェック状の市松模様となるように配置されている。詳しくは、画素列ごとに、隣り合う２つの画素を跨いで遮光部、または透過部が配置されている。また、遮光部と透過部とは交互に配置されている。
このような横視差バリア８２ｙを介して表示パネル７０を観察する様子が図１２の上段に示されている。当該図面には、縦表示における表示装置１００をＹ軸（＋）方向から観察したときの表示装置１００の断面、および観察者の視点が示されている。
ここで、表示パネル７０には、各画素列において、左目用の画像データ「左」と、右目用の画像データ「右」とがＹ軸方向に交互に供給されている。また、左右の画像データは、Ｘ軸方向において１画素分ずつＹ軸方向にシフトした配置となっている。このような左右の画像が合成された画像データは、縦表示が選択されると、前述の画像信号処理部などで生成されて、表示パネル７０に供給される。
【００５８】
そして、このように左右の画像データが表示されている表示パネル７０を、横視差バリア８２ｙを介して観察すると、左目Ｌｖには左画素を透過した画像データ「左」によって表される左画像の表示光が入射し、右目Ｒｖには右画素を透過した画像データ「右」によって表される右画像の表示光が入射することになり、横表示において指向性表示が実現される。
詳しくは、図１２の下段左側には、左目Ｌｖにて視認される左画像の表示態様が示されている。画素列Ｐ11では、Ｐ21,Ｐ41…というように偶数行の画素が観察されている。
また、画素列Ｐ12では、Ｐ12,Ｐ32…というように奇数行の画素が観察されている。以下、画素列ごとに偶数行の画素と奇数行の画素とが交互に入れ替って観察される。
つまり、左目Ｌｖには、市松模様をなした左画像が観察されることになる。
【００５９】
また、図１２の下段右側には、右目Ｒｖにて視認される表示態様が示されている。
画素列Ｐ11では、Ｐ11,Ｐ31…というように奇数行の画素が観察されている。また、画素列Ｐ12では、Ｐ22,Ｐ42…というように偶数行の画素が観察されている。以下、画素列ごとに奇数行の画素と偶数行の画素とが交互に入れ替って観察される。
つまり、右目Ｒｖには、市松模様をなした右画像が観察されることになる。
【００６０】
ここで、横視差バリア８２ｙによって観察される視差画像とストライプ状の横視差バリア８０ｙ（図４）によって観察される視差画像とを比較してみる。
図７の下段左側の左画像では、ストライプ状の横視差バリア８０ｙを用いて横表示を行っていたため、観察される左画像も、画素行Ｐ21,Ｐ41…というように縞状になっていた。これに対して、本実施形態における横表示では、図１２の下段左側に示す通り、左画像は市松模様をなしたチェック状に観察されることになる。なお、右画像についても同様である。
つまり、横視差バリア８２ｙによれば、画像が縞状となってしまっていた横視差バリア８０ｙと異なり、縞状感が抑制された視差画像を実現することができる。
【００６１】
「バリアＬＣＤの電極態様」
図１３（ａ）は、本実施形態に係るセグメント電極の平面配置図であり、図９（ａ）に対応している。図１３（ｂ）は、コモン電極の平面配置図であり、図９（ｂ）に対応している。
ここでは、図１１の縦視差バリア８０ｔ、および横視差バリア８２ｙを実現するためのバリアＬＣＤ７におけるセグメント電極とコモン電極の平面レイアウトについて説明する。まず、第１電極としてのセグメント電極Ｓの配置態様は、図９（ａ）で説明した配置態様と同一である。換言すれば、図１３（ａ）と図９（ａ）とは、同一である。
つまり、本実施形態に係るバリアＬＣＤ７の電極態様は、コモン電極の配置態様のみが実施形態１と異なる。よって、コモン電極の配置態様について以下に説明する。
【００６２】
図１３（ｂ）において、コモン電極Ｃは、第１コモン電極としての複数のコモン電極Ｃ１と、第２コモン電極としての複数のコモン電極Ｃ２とから構成されている。
コモン電極Ｃ１およびコモン電極Ｃ２は、それぞれが画素Ｐと略同じ大きさの長方形に形成されている。また、コモン電極Ｃ１およびコモン電極Ｃ２は、画素列において、隣り合う２つの画素Ｐを跨いで交互に配置されている。
例えば、画素列Ｐ11において、画素列の延在方向（Ｙ軸（−）方向）に隣り合う２つの画素Ｐ11と画素Ｐ21とを跨いで、コモン電極Ｃ１が配置されている。また、画素Ｐ21と画素Ｐ31とを跨いで、コモン電極Ｃ２が配置されている。以下、画素列の延在方向において、隣り合う２つの画素Ｐを跨いでコモン電極Ｃ１とコモン電極Ｃ２とが交互に配置されている。
また、画素列Ｐ12において、画素列の延在方向（Ｙ軸（−）方向）に隣り合う２つの画素Ｐ12と画素Ｐ22とを跨いで、コモン電極Ｃ２が配置されている。また、画素Ｐ22と画素Ｐ32とを跨いで、コモン電極Ｃ１が配置されている。以下、画素列の延在方向において、隣り合う２つの画素Ｐを跨いでコモン電極Ｃ２とコモン電極Ｃ１とが交互に配置されている。
【００６３】
そして、画素列Ｐ13では、画素列Ｐ11と同じパターンでコモン電極Ｃ１とコモン電極Ｃ２とが交互に配置され、画素列Ｐ14では、画素列Ｐ12と同じパターンでコモン電極Ｃ２とコモン電極Ｃ１とが交互に配置されている。
つまり、奇数の画素列では、画素列Ｐ11と同じパターンでコモン電極Ｃ１とコモン電極Ｃ２とが交互に配置され、偶数の画素列では、画素列Ｐ12と同じパターンでコモン電極Ｃ２とコモン電極Ｃ１とが交互に配置されることになる。コモン電極Ｃ１を白、コモン電極Ｃ２を黒としたときに、白および黒のコモン電極による平面的な配置態様が市松模様となるように、コモン電極Ｃ１，Ｃ２が配置されている。
換言すれば、複数のコモン電極Ｃは、Ｘ軸方向（第１方向）およびＹ軸方向（第２方向）において互いに隣り合わない複数のコモン電極Ｃ１と、複数のコモン電極Ｃ２とを有している。
【００６４】
また、チェック状に配置された複数のコモン電極Ｃ１は、電気的に１つの電極として構成されている。換言すれば、複数のコモン電極Ｃ１は、電気的に１つの信号線により同じ駆動電圧で駆動される。同様に、コモン電極Ｃ１を補完する部分にチェック状に配置された複数のコモン電極Ｃ２は、電気的に１つの電極として構成されている。換言すれば、全てのコモン電極Ｃ２は、電気的に１つの信号線により同じ駆動電圧で駆動される。
また、コモン電極Ｃの形成方法や、電極間のギャップなどは、図９（ａ）での説明と同様である。
なお、素子基板６ａにセグメント電極Ｓが形成され、対向基板６ｂにコモン電極Ｃが形成される構成に限定するものではなく、素子基板６ａにコモン電極Ｃを形成し、対向基板６ｂにセグメント電極Ｓを形成する構成であっても良い。この構成であっても、同様に縦視差バリアおよび横視差バリアを形成することができる。
【００６５】
「縦横視差バリアの形成方法」
図１４（ａ）は、縦視差バリアを形成する場合の駆動態様図であり、図１０（ａ）に対応している。図１４（ｂ）は、横視差バリアを形成する場合の駆動態様図であり、図１０（ｂ）に対応している。
まず、バリアＬＣＤ７により縦視差バリア８０ｔ（図１１）を形成する方法は、実施形態１での説明と同様である。詳しくは、セグメント電極Ｓ２と、コモン電極Ｃ１およびコモン電極Ｃ２との間を透過部とするための駆動電圧（オン電圧）を各電極に印加する。換言すれば、セグメント電極Ｓ２と、コモン電極Ｃ１およびコモン電極Ｃ２とが重なる部分をオンする。また、実施形態１で説明したように、画像データ「左」「右」の供給パターンを入れ替えて、セグメント電極Ｓ１と、コモン電極Ｃ１およびコモン電極Ｃ２とが重なる部分をオンすることであっても良い。
【００６６】
つまり、縦表示における立体表示を行うときには、セグメント電極Ｓ１とセグメント電極Ｓ２とのうちのいずれか一方と、コモン電極Ｃ１およびコモン電極Ｃ２との間を透過部とするとともに、いずれか他方と、コモン電極Ｃ１およびコモン電極Ｃ２との間を遮光部とするように表示駆動すれば良い。
なお、形成された遮光部には、コモン電極Ｃ１，Ｃ２間のギャップ部分が含まれているが、バリアＬＣＤ７はノーマリーブラックモードであるため、当該ギャップ部分も黒表示となり、光漏れのない初期の遮光部が形成される。
【００６７】
バリアＬＣＤ７により横視差バリア８２ｙ（図１１）を形成する場合には、コモン電極Ｃ１と、セグメント電極Ｓ１およびセグメント電極Ｓ２との間を透過部とするための駆動電圧（オン電圧）を各電極に印加する。換言すれば、コモン電極Ｃ１と、セグメント電極Ｓ１およびセグメント電極Ｓ２とが重なる部分をオンする。
そして、コモン電極Ｃ２と、セグメント電極Ｓ１およびセグメント電極Ｓ２との間を遮光部とするための駆動電圧を各電極に印加するか、または、コモン電極Ｃ２をオフとする。図１４（ｂ）では、好適例として、コモン電極Ｃ１と、セグメント電極Ｓ１およびセグメント電極Ｓ２との間をオンとし、コモン電極Ｃ２をオフとすることによって横視差バリア８２ｙを形成している。
なお、形成された遮光部には、セグメント電極Ｓ１，Ｓ２間のギャップ部分が含まれているが、バリアＬＣＤ７はノーマリーブラックモードであるため、当該ギャップ部分も黒表示となり、光漏れのない初期の遮光部が形成される。
【００６８】
また、図１４（ｂ）の事例では、コモン電極Ｃ１をオンとし、コモン電極Ｃ２をオフとすることによって横視差バリア８２ｙを形成していたがこれに限定するものではない。コモン電極Ｃ２をオンとし、コモン電極Ｃ１をオフとすることによって横視差バリアを形成することであっても良い。
この場合、右目Ｒｖには図１２の下段左側の表示パターンが観察されることになるため、当該パターンで露出する（白抜き）画素に画像データ「右」が供給されるように駆動する。同様に、左目Ｌｖには図１２の下段右側の表示パターンが観察されることになるため、当該パターンで露出する（白抜き）画素に画像データ「左」が供給されるように駆動する。
つまり、横表示における立体表示を行うときには、コモン電極Ｃ１とコモン電極Ｃ２とのうちのいずれか一方と、セグメント電極Ｓ１およびセグメント電極Ｓ２との間を透過部とするとともに、いずれか他方と、セグメント電極Ｓ１およびセグメント電極Ｓ２との間を遮光部とするように表示駆動すれば良い。
【００６９】
上述した通り、本実施形態によれば、実施形態１における効果に加えて、以下の効果を得ることができる。
本実施形態の横視差バリア８２ｙによれば、横表示における立体表示が左右の各視点において、それぞれ市松模様をなしたチェック状に観察されることになる。
よって、横視差バリア８２ｙによれば、画像が縞状となってしまっていた横視差バリア８０ｙと異なり、縞状感が抑制された視差画像を実現することができる。
従って、本実施形態に係る表示装置１００によれば、指向性表示において良好な表示品位を実現することができる。
【００７０】
さらに、縦表示における立体表示を行う際には、縞状感を抑制することができる縦視差バリア８０ｔが形成される。
よって、縦表示および横表示のいずれにおいても、縞状感が抑制された指向性表示を実現することができる。
従って、本実施形態に係る表示装置１００によれば、縦表示および横表示のいずれにおいても、指向性表示において良好な表示品位を実現することができる。
【００７１】
（電子機器）
図１５は、上記表示装置を搭載した携帯電話を示す斜視図である。
上述の各実施形態に係る表示装置１００は、例えば、電子機器としての携帯電話４００に搭載して用いることができる。
携帯電話４００は、本体部３５０と、当該本体部に対して開閉自在に設けられた表示部３７０とを備えるとともに、表示装置１００を内蔵している。詳しくは、表示装置１００は、表示部３７０に組み込まれており、表示パネル７０が表示画面となっている。
また、本体部３５０には、複数の操作ボタンを有する操作部３６５が設けられており、当該操作ボタンには、表示装置１００の操作部７６（図８）の機能も含まれている。
従って、携帯電話４００によれば、縦横表示それぞれにおいて、良好な表示品位の指向性表示を行うことができる。
【００７２】
また、携帯電話の態様は、図１５に示した折畳み式に限定するものではなく、表示パネルを備えた携帯電話であれば良い。
例えば、本体部３５０に対して表示部３７０が折畳み、および旋回可能に設けられた携帯電話であっても良い。または、一体型の携帯電話や、一体型の本体部に操作部が収納されているスライド式の携帯電話であっても良い。
また、電子機器としては、携帯電話に限定するものではなく、表示パネルを備えた電子機器であれば良い。
例えば、カーナビゲーションシステム用の表示装置や、ＰＤＡ（Personal Digital Assistants）、モバイルコンピューター、デジタルカメラ、デジタルビデオカメラ、車載機器、オーディオ機器などの各種電子機器に用いることができる。
【００７３】
なお、本発明は上述した実施形態に限定されず、上述した実施形態に種々の変更や改良などを加えることが可能である。変形例を以下に述べる。
【００７４】
（変形例１）
図１６は、変形例１に係る視差バリア態様を示す図であり、図１１に対応している。
上記各実施形態では、１つのカラー画素を構成する赤色の画素、緑色の画素、青色の画素を１つの画素Ｐとして、当該画素Ｐ単位で、縦横の視差バリアを形成するものとして説明したが、これに限定するものではなく、カラー画素単位で縦横の視差バリアを形成することであっても良い。換言すれば、上記各実施形における画素Ｐをカラー画素Ｃと読み替えても良い。
ここでは、上記各実施形態における説明と重複する部分は省略し、また、同一の構成部位については同一の番号を附して説明する。
【００７５】
図１６には、表示パネル７０が縦表示の場合における縦視差バリア９０ｔと、横表示の場合における横視差バリア９２ｙとが示されている。
まず、縦視差バリア９０ｔの遮光部および透過部は、カラー画素行の延在方向において、カラー画素行ごとに、隣り合う２つのカラー画素Ｃを跨いで配置されている。例えば、カラー画素行Ｃ11（画素行Ｐ11）と重なる領域においては、カラー画素Ｃ11とカラー画素Ｃ12とを跨いで、当該画素と略同じ正方形状の遮光部が形成されている。また、当該遮光部の隣（Ｘ軸（＋）側）には、カラー画素Ｃ12とカラー画素Ｃ13とを跨いで、同様な正方形状の透過部が形成されている。以降、カラー画素行Ｃ11の延在方向に向かって、遮光部と透過部とが交互に配置されている。
【００７６】
また、カラー画素行Ｃ21（画素行Ｐ21）と重なるバリア行でも、透過部と遮光部とがＸ軸方向に交互に形成されている。ここで、当該バリア行の遮光部および透過部は、上段のバリア行の遮光部および透過部から、約１カラー画素分Ｘ軸方向にシフトした配置となっている。
また、カラー画素行Ｃ31（画素行Ｐ31）と重なるバリア行でも、遮光部と透過部とがＸ軸方向に交互に形成され、かつ、カラー画素列方向で、カラー画素行Ｃ21のバリア行から約１カラー画素分Ｘ軸方向にシフトした配置となっている。
つまり、縦表示における縦視差バリア９０ｔは、遮光部（透過部）がチェック状の市松模様となるような態様となる。
【００７７】
そして、横視差バリア９２ｙの遮光部および透過部は、カラー画素列の延在方向において、カラー画素列ごとに、隣り合う２つのカラー画素Ｃを跨いで配置されている。例えば、カラー画素列Ｃ11と重なる領域においては、カラー画素Ｃ11とカラー画素Ｃ21とを跨いで、当該画素と略同じ正方形状の遮光部が形成される。また、当該遮光部の隣（Ｙ軸（−）側）には、カラー画素Ｃ21とカラー画素Ｃ31とを跨いで、同様な正方形状の透過部が形成される。以降、カラー画素行Ｃ11の延在方向に向かって、遮光部と透過部とが交互に配置される。
また、カラー画素列Ｃ12と重なるバリア列でも、透過部と遮光部とがＹ軸方向に交互に形成される。ここで、当該バリア列の遮光部および透過部は、隣のバリア列の遮光部および透過部から、約１カラー画素分Ｙ軸方向にシフトした配置となっている。
また、カラー画素列Ｃ13と重なるバリア列でも、遮光部と透過部とがＹ軸方向に交互に形成され、かつ、カラー画素列方向で、カラー画素列Ｃ12のバリア列から約１カラー画素分Ｙ軸方向にシフトした配置となっている。
つまり、横表示における横視差バリア９２ｙは、遮光部（透過部）がチェック状の市松模様となるような態様となる。
【００７８】
なお、このような縦視差バリア９０ｔおよび横視差バリア９２ｙは、複数のセグメント電極、およびコモン電極により、バリアＬＣＤ７を表示駆動することによって実現される。また、複数のセグメント電極、およびコモン電極は、図１３（ａ）、（ｂ）における画素Ｐをカラー画素Ｃと読み替えた配置態様となっている。また、縦視差バリア９０ｔおよび横視差バリア９２ｙを表示させるための駆動方法も、実施形態２での説明と同様である。
本変形例に係る視差バリア態様であっても、上記各実施形態と同様に、縦表示および横表示のいずれにおいても、縞状感が抑制された指向性表示を実現することができる。換言すれば、縦表示および横表示のいずれにおいても、指向性表示において良好な表示品位を実現することができる。
【００７９】
（変形例２）
図２を用いて説明する。
上記各実施形態では、バリアＬＣＤ７の液晶モードをノーマリーブラックとして説明したが、これに限定するものではなく、液晶モードはノーマリーホワイトであっても良い。
この構成によれば、バリアＬＣＤ７に駆動電圧を印加しない全オフ状態で表示領域Ｖ全体が透過部となるため、縦横いずれの表示姿勢においても、２Ｄ表示を行う際の消費電力を低減することができる。
また、セグメント電極とコモン電極との間をオンした部分が遮光部となるため、上記各実施形態においてオンとしたセグメント電極、またはコモン電極を一方としたときに、ノーマリーホワイトの場合は、他方側をオンすることになる。
例えば、バリアＬＣＤ７により縦視差バリア８０ｔ（図１０（ａ））を形成する場合には、セグメント電極Ｓ１と、コモン電極Ｃ１およびコモン電極Ｃ２との間をオンとして遮光部を形成し、セグメント電極Ｓ２をオフとして透過部を形成する。
また、横視差バリア８０ｙ（図１０（ｂ））を形成する場合には、コモン電極Ｃ２と、セグメント電極Ｓ１およびセグメント電極Ｓ２との間をオンとして遮光部を形成し、コモン電極Ｃ１をオフとして透過部を形成する。
本変形例に係る視差バリア態様であっても、上記各実施形態と同様に、縦表示および横表示のいずれにおいても、縞状感が抑制された指向性表示を実現することができる。さらに、消費電力を低減することができる。
【符号の説明】
【００８０】
３…液晶パネル、５…入射側偏光板としての共通偏光板、７…バリアＬＣＤ、８…出射側偏光板、７０…表示パネル、８０…視差バリア部、８０ｔ…縦視差バリア、８０ｙ，８２ｙ…横視差バリア、１００…表示装置、４００…電子機器としての携帯電話、５００…電子機器としてのＭＭＰ、Ｐ…画素、Ｓ…第１電極としてのセグメント電極、Ｓ１…第１セグメント電極としてのセグメント電極、Ｓ２…第２セグメント電極としてのセグメント電極、Ｃ…第２電極としてのコモン電極、Ｃ１…第１コモン電極としてのコモン電極、Ｃ２…第２コモン電極としてのコモン電極、Ｖ…表示領域。
【図１】
2010276817.tif 000003
【図２】
2010276817.tif 000004
【図３】
2010276817.tif 000005
【図４】
2010276817.tif 000006
【図５】
2010276817.tif 000007
【図６】
2010276817.tif 000008
【図７】
2010276817.tif 000009
【図８】
2010276817.tif 000010
【図９】
2010276817.tif 000011
【図１０】
2010276817.tif 000012
【図１１】
2010276817.tif 000013
【図１２】
2010276817.tif 000014
【図１３】
2010276817.tif 000015
【図１４】
2010276817.tif 000016
【図１５】
2010276817.tif 000017
【図１６】
2010276817.tif 000018
【図１７】
2010276817.tif 000019